【手続補正書】
【提出日】平成17年5月11日(2005.5.11)
【手続補正１】
【補正対象書類名】明細書
【補正対象項目名】特許請求の範囲
【補正方法】変更
【補正の内容】
【特許請求の範囲】
【請求項１】
内燃機関に適用されるピストン装置であって、
シリンダと、
前記シリンダ内で往復運動するピストンと、
前記ピストンの側面に形成されたリング溝に挿入されたピストンリングセットと、
を備え、
前記ピストンリングセットは、
前記シリンダの内側壁面上を摺動する略環状の摺動リング部材と、
張力を有し、前記摺動リング部材が前記シリンダの内側壁面を押圧する押圧力を、前記摺動リング部材に誘起させる略環状の張力リング部材と、
温度に応じて変形することによって前記押圧力を変化させるための調整部材と、
を備え、
前記調整部材は、特定材料を用いて形成されており、
前記特定材料の熱膨張率は、前記張力リング部材を構成する材料よりも大きく、前記特定材料の膨張量は、温度上昇に応じて滑らかに増大することを特徴とするピストン装置。
【請求項２】
請求項１記載のピストン装置であって、
前記特定材料は、樹脂である、ピストン装置。
【請求項３】
請求項１記載のピストン装置であって、
前記張力リング部材は、
外周側に形成され、前記摺動リング部材が配置される平坦部と、
内周側に形成され、前記摺動リング部材の半径方向内側への移動を制限する壁部と、
を備え、
前記調整部材は、前記壁部と前記摺動リング部材との間に設けられている、ピストン装置。
【請求項４】
請求項３記載のピストン装置であって、
前記調整部材は、複数の部分調整部材を含み、
前記複数の部分調整部材は、前記壁部と前記摺動リング部材とが接触しないように、前記壁部に沿って略環状に配置されている、ピストン装置。
【請求項５】
請求項３記載のピストン装置であって、
前記調整部材の半径方向の寸法は、前記ピストンリングセットの外面側に向かう程、大きく設定されている、ピストン装置。
【請求項６】
請求項３記載のピストン装置であって、
前記調整部材は、略円形の断面形状を有する、ピストン装置。
【請求項７】
請求項１記載のピストン装置であって、
前記張力リング部材は、
外周側に形成され、前記摺動リング部材が配置される平坦部と、
内周側に形成され、前記摺動リング部材の半径方向内側への移動を制限する壁部と、
を備え、
前記摺動リング部材の内面側には、凸部が設けられており、
前記調整部材は、前記凸部の内周側側面に接触するように、前記平坦部と前記摺動リング部材との間に設けられている、ピストン装置。
【請求項８】
請求項１記載のピストン装置であって、
前記張力リング部材は、
外周側に形成され、前記摺動リング部材が配置される平坦部と、
内周側に形成され、前記摺動リング部材の半径方向内側への移動を制限する壁部と、
を備え、
前記リング溝には、凹部が形成されており、
前記調整部材は、前記張力リング部材の内周側に接触するように、前記凹部に挿入されている、ピストン装置。
【請求項９】
請求項１記載のピストン装置であって、
前記張力リング部材は、
外周側に形成され、前記摺動リング部材が配置される平坦部と、
内周側に形成され、前記摺動リング部材の半径方向内側への移動を制限する壁部と、
を備え、
前記摺動リング部材の外周面には、凹部が形成されており、
前記調整部材は、前記凹部に挿入されている、ピストン装置。
【請求項１０】
内燃機関に適用されるピストン装置であって、
シリンダと、
前記シリンダ内で往復運動するピストンと、
前記ピストンの側面に形成されたリング溝に挿入されたピストンリングセットと、
を備え、
前記ピストンリングセットは、
前記シリンダの内側壁面上を摺動し、前記シリンダの内側壁面を押圧する押圧力を発生させる張力を有する略環状の張力リング部材と、
温度に応じて変形することによって前記押圧力を変化させるための調整部材と、
を備え、
前記調整部材は、特定材料を用いて形成されており、
前記特定材料の熱膨張率は、前記張力リング部材を構成する材料よりも大きく、前記特定材料の膨張量は、温度上昇に応じて滑らかに増大することを特徴とするピストン装置。
【請求項１１】
請求項１０記載のピストン装置であって、
前記張力リング部材には、凹部が形成されており、
前記調整部材は、前記凹部に挿入されている、ピストン装置。
【請求項１２】
請求項１０記載のピストン装置であって、
前記リング溝には、凹部が形成されており、
前記調整部材は、前記張力リング部材の内周面に接触するように、前記凹部に挿入されている、ピストン装置。
【請求項１３】
内燃機関に適用されるピストン装置であって、
シリンダと、
前記シリンダ内で往復運動するピストンと、
前記ピストンの側面に形成されたリング溝に挿入されたピストンリングセットと、
を備え、
前記ピストンリングセットは、
前記シリンダの内側壁面上を摺動する略環状の摺動リング部材と、
張力を有し、前記摺動リング部材が前記シリンダの内側壁面を押圧する押圧力を、前記摺動リング部材に誘起させるとともに、温度に応じて変形することによって前記押圧力を変化させるための略環状の調整リング部材と、
を備え、
前記調整リング部材は、特定材料を用いて形成されており、
前記特定材料の熱膨張率は、前記摺動リング部材を構成する材料よりも大きく、前記特定材料の膨張量は、温度上昇に応じて滑らかに増大することを特徴とするピストン装置。
【請求項１４】
請求項１３記載のピストン装置であって、
前記調整リング部材は、
張力を有し、前記摺動リング部材が前記シリンダの内側壁面を押圧する押圧力を、前記摺動リング部材に誘起させる略環状の第１種のリング部材と、
温度に応じて変形することによって前記押圧力を変化させる略環状の第２種のリング部材と、
を備え、
前記第２種のリング部材は、前記特定材料を用いて形成されている、ピストン装置。
【請求項１５】
請求項１４記載のピストン装置であって、
前記第２種のリング部材は、前記第１種のリング部材の外部に設けられている、ピストン装置。
【手続補正２】
【補正対象書類名】明細書
【補正対象項目名】０００９
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
上記の第１の装置において、
前記調整部材は、複数の部分調整部材を含み、
前記複数の部分調整部材は、前記壁部と前記摺動リング部材とが接触しないように、前記壁部に沿って略環状に配置されているようにしてもよい。
【手続補正５】
【補正対象書類名】明細書
【補正対象項目名】００２３
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３２
【補正方法】削除
【補正の内容】
【手続補正１１】
【補正対象書類名】明細書
【補正対象項目名】００３４
【補正方法】削除
【補正の内容】
【手続補正１２】
【補正対象書類名】明細書
【補正対象項目名】００３５
【補正方法】削除
【補正の内容】
【手続補正１３】
【補正対象書類名】明細書
【補正対象項目名】００３８
【補正方法】削除
【補正の内容】
【手続補正１４】
【補正対象書類名】明細書
【補正対象項目名】００３９
【補正方法】削除
【補正の内容】
【手続補正１５】
【補正対象書類名】明細書
【補正対象項目名】００４０
【補正方法】削除
【補正の内容】
【手続補正１６】
【補正対象書類名】明細書
【補正対象項目名】００４２
【補正方法】削除
【補正の内容】
【手続補正１７】
【補正対象書類名】明細書
【補正対象項目名】００４３
【補正方法】削除
【補正の内容】
【手続補正１８】
【補正対象書類名】明細書
【補正対象項目名】００４４
【補正方法】削除
【補正の内容】
【手続補正１９】
【補正対象書類名】明細書
【補正対象項目名】００４５
【補正方法】削除
【補正の内容】
【手続補正２０】
【補正対象書類名】明細書
【補正対象項目名】００４６
【補正方法】削除
【補正の内容】
【手続補正２１】
【補正対象書類名】明細書
【補正対象項目名】００４７
【補正方法】削除
【補正の内容】